(57)【特許請求の範囲】
【請求項１】
既設の鉄筋コンクリ−ト杭を除去する工法において、杭の外周に仮設足場を設置する工程、杭側面より杭の主筋及び帯筋を適宜切断する工程、杭頭を適宜削孔する工程、削孔した孔に静的破砕剤を充填する工程、静的破砕剤により破砕した破砕塊を杭頭から落下させて除去する工程、杭の足元に落下した破砕塊を集積搬出する工程、よりなることを特徴とする鉄筋コンクリ−ト杭の除去方法。
【発明の詳細な説明】
【０００１】
【発明の属する技術分野】
本発明は、既設の鉄筋コンクリ−ト杭を除去する方法に関するものであり、特に橋梁の支承を支える鉄筋コンクリ−ト製仮受杭を除去する方法に関するものである。
【０００２】
【従来の技術】
従来より、既存建築物の解体に伴う鉄筋コンクリ−ト杭（以下ＲＣ杭と称する。）や橋梁の支承を支えるＲＣ製仮受杭の除去等において採用されている方法として、杭の外周囲を掘削等して作業スペ−スを確保した後、ワイヤソ−を用いて杭を切断するというものがある。
しかしこの方法によると、切断されたコンクリ−ト及び鉄筋の塊である切断塊の仮置きスペ−スや搬出用重機の設置スペ−ス等、かなりの広さの作業スペ−スを必要とする。
そこで、かかる十分な作業スペ−スを確保できない場合には、ＲＣ杭の鉄筋を溶断しつつ、コンクリ−トブレ−カ−等によってはつり作業を行い、溶断された鉄筋くず及びはつり飛ばされたコンクリ−ト殻を、はつり作業の合間に手作業又はバックホ−等の機械によって集積し、ダンプトラック等によって搬出するという方法が採られるのが一般的であり、この方法によれば、発生する鉄筋くず及びコンクリ−ト殻は小さいため、大型搬出用重機も必要とせず、あまり広い作業スペ−スを必要としない。
【０００３】
【発明が解決しようとする課題】
しかし、上記のようなＲＣ杭の除去方法においては、以下に挙げる問題点がある。
【０００４】
１点目として、杭のはつり作業においては鉄筋の存在が作業の妨げとなるので、作業員が鉄筋を鉄筋カッタ−等で切断しながら進めていかなければならないため、非常に時間と手間がかかり、大変な重労働であるというものである。
２点目として、杭のはつり作業を、作業員がはつりの対象である杭の上に乗って行うため、足元が不安定で危険であるというものである。
３点目として、はつり飛ばされたはつり殻は落下して杭の足元に集積するため、上部の杭頭ではつり作業を行っている時は、杭の足元である下部でコンクリ−ト殻を集積し、搬出する作業ができない。このため、作業の同時進行が不可能であり、タイムロスが生じるというものである。
【０００５】
そこで本発明は上記問題点に鑑みてなされたものであって、十分な作業スペ−スを確保できない場合において、鉄筋切断作業とコンクリ−トはつり作業が相互に妨げとならず円滑な作業が可能であり、作業員の重労働に頼らず安全であり、かつ上部で行うはつり作業と下部で行うコンクリ−ト殻の集積搬出作業とを同時に行うことのできるＲＣ杭の除去方法を提供するものである。
【０００６】
【課題を解決するための手段】
すなわち、本発明は、上記課題を達成するための手段であり、既設のＲＣ杭を除去する工法において、杭の外周に仮設足場を設置する工程、杭側面より杭の主筋及び帯筋を適宜切断する工程、杭頭を適宜削孔する工程、削孔した孔に静的破砕剤を充填する工程、静的破砕剤により破砕した破砕塊を杭頭から落下させて除去する工程、杭の足元に落下した破砕塊を集積搬出する工程、よりなることを特徴とするＲＣ杭の除去方法である。
【０００７】
【発明の実施の形態】
以下、添付図面に示す実施の形態に基づいて、本発明を詳細に説明する。
図１〜図５は、本発明の一実施形態を示すものであり、橋梁の下部にトンネルを建設する工事の過程において、支承を支えるＲＣ製の仮受杭を除去する方法を示す。
【０００８】
図１は、橋梁１下部にトンネル２を建設する工事の過程において支承１ａを支えるＲＣ製の仮受杭３を撤去するために、橋梁１を図の左方向に移動させてトンネル２の施工済部分の上に載せ、仮受杭３の外周部に仮設足場４を設置することを示すものである。
この実施形態では、橋梁の下部にトンネルを建設する工事の過程における支承を支えるＲＣ製の仮受杭の除去を想定しているが、他に例えば、既存建築物の解体に伴うＲＣ杭の除去等を想定した場合は、杭の外周を掘削した後に仮設足場を設置する。
また図６（ｂ）に示した仮受杭３の断面図から明らかなように、仮受杭３の鉄筋は外から見えないが、図示の都合上，現実には見えない主筋３ａ及び帯筋３ｂを実線で表現している（以下同じ。）。
【０００９】
図２は、仮受杭３の外周の仮設足場４を使用して、仮受杭３の側面より杭頭付近の主筋３ａ及び帯筋３ｂを適宜切断するという工程である。ここで切断の方法としてはカッタ−等の工具を用いたり、ガス切断を行うことが考えられる。この工程は、後にコンクリ−トを破砕させると同時に、コンクリ−ト殻と予め切断された鉄筋とを一体として杭から分離するためのいわば仕込みの工程である。したがって主筋３ａ及び帯筋３ｂの切断の間隔等については、切断塊の大きさをどの程度に設定するかによって適宜定めるものである。具体的には主筋３ａを約１メ−トル間隔に、帯筋３ｂを図６（ａ）に示すように６分割程度に切断するのが望ましい。
【００１０】
図３は、作業員がドリル５等の工具を用いて、図６（ａ）に示すように適当な間隔で杭頭に孔６をあけ、その孔に静的破砕剤７を充填するという工程である。この静的破砕剤７は公知のもの（例として、製造元：株式会社ロックス・ジャパン、製品名：ロックト−ン）であり、化学反応により膨張圧を発生させて、破砕する対象に亀裂を生じさせるものであるが、無筋コンクリ−トや岩石等には効果があるが、鉄筋入りの構造体に使用しても効果がほとんどない。かかる静的破砕剤７を、前述のように主筋３ａ及び帯筋３ｂを予め切断しておいてから後に使用することにより、その性質を鉄筋入りの構造体にも利用できるようにしている。また杭頭にあける孔６の間隔についても、切断塊の大きさをどの程度に設定するかによって適宜定めればよい。
【００１１】
こうして杭頭に静的破砕剤７を充填した後、一定時間経過後に静的破砕剤７の作用により、図２に示す工程において施した主筋３ａ及び帯筋３ｂの切断箇所に沿って、また図３に示す工程において施した杭頭にあけた孔６の位置及び数に従って杭頭部分に亀裂が発生し、コンクリ−トと鉄筋が一体となって杭から分離、すなわち切断塊８が杭頭部分に発生することになる。このことを示したものが図４である。この切断塊８は、切断された主筋３ａ及び帯筋３ｂを含むものであることは明らかである。
【００１２】
次に図５に示すように、杭頭に発生した切断塊８を杭の足元に落下させる。こうして杭の足元に落下した切断塊８を、手作業又はバックホ−等の機械によって集積し、ダンプトラック等によって搬出する。
ここで、杭頭における亀裂発生時のしばらく前から切断塊８の杭頭からの除去完了までの間を除いて、切断塊８等が杭頭から落下してくることはないため、この間以外は杭の足元で切断塊８の集積搬出作業を安全に行うことができる。そしてこのことにより、従来は同時進行不可能であったはつり作業と切断塊８の集積運搬作業の同時進行が可能となっている。
【００１３】
以上の工程を経て、杭頭の一部が設定した通りに除去される。そしてこの後、切断塊８の除去された面を杭頭として、以上の作業を繰り返せば、仮設足場４に囲まれた部分の任意の位置まで仮受杭３を除去できる。
【００１４】
また、図１〜図５に示した工程は、必ずしもこの順序で行わなければならないものではなく、例えば図２に示す主筋３ａ及び帯筋３ｂの切断に先立って、図３に示す杭頭への削孔を行ってもよい。但し静的破砕剤７の充填に先立って、主筋３ａ及び帯筋３ｂの切断を完了しておいたほうが安全であり、望ましい。
【発明の効果】
以上の説明から明らかなように本発明は、既存建築物の解体に伴うＲＣ製の既設杭や橋梁を支えるＲＣ製仮受杭の除去において、以下に列挙する効果を生ずる。
１点目として、鉄筋を予め切断した後にコンクリ−トを破砕するというように作業を分離して行うため、一の作業が他の作業の妨げとならず、作業の円滑な進行が確保され、作業員の重労働も無くすることができる。
２点目として、作業員が切断塊の上に乗って作業を行うことはなく、作業時の足元が安全であるため、作業員の安全を確保できる。
３点目として、杭の足元にて行う切断塊の集積搬出作業は、杭頭における亀裂発生時のしばらく前から切断塊の杭頭からの除去完了までの間を除いていつでも行うことができるので、集積搬出作業の手待ち時間はほとんど無く、作業の同時進行が可能であり、工期の短縮、工費削減に寄与できる。
【図面の簡単な説明】
【図１】本発明に係る鉄筋コンクリ−ト杭の除去方法の一実施形態の一工程を示すものであり、橋梁下部にトンネルを建設する工事の過程において支承を支える仮受杭を撤去するために、橋梁を移動させて、仮受杭の外周部に図示しない仮設足場を設置する工程を示す側面図。
【図２】本発明に係る鉄筋コンクリ−ト杭の除去方法の一実施形態の一工程を示すものであり、仮受杭の外周の仮設足場を使用して、仮受杭の側面より杭頭付近の主筋及び帯筋を適宜切断するという工程を示す側面図。
【図３】本発明に係る鉄筋コンクリ−ト杭の除去方法の一実施形態の一工程を示すものであり、作業員がドリル等の工具を用いて、適当な間隔で杭頭に孔をあけ、その孔に静的破砕剤を充填する工程を示す側面図。
【図４】本発明に係る鉄筋コンクリ−ト杭の除去方法の一実施形態の一工程を示すものであり、主筋及び帯筋の切断箇所に沿って、また杭頭にあけた孔の位置及び数に従って杭頭部分に亀裂が発生し、コンクリ−トと鉄筋が一体となって杭から分離する工程を示す側面図。
【図５】本発明に係る鉄筋コンクリ−ト杭の除去方法の一実施形態の一工程を示すものであり、杭頭に発生した切断塊を杭の足元に落下させ、集積搬出する工程を示す側面図。
【図６】（ａ）は、図３において杭頭に削孔した状態と帯筋を切断した状態を示す平面図であり、（ｂ）は、本発明に係る鉄筋コンクリ−ト杭の除去方法の一実施形態における鉄筋コンクリ−ト杭の断面を示す平面図。
【符号の説明】
１  …橋梁
１ａ…支承
２  …トンネル
３  …仮受杭
３ａ…主筋
３ｂ…帯筋
４  …仮設足場
５  …ドリル
６  …孔
７  …静的破砕剤
８  …切断塊
【図１】
0003715737.tif 000002
【図２】
0003715737.tif 000003
【図３】
0003715737.tif 000004
【図４】
0003715737.tif 000005
【図５】
0003715737.tif 000006
【図６】
0003715737.tif 000007